(57)【要約】【課題】  段ボールシート製函機に用いて好適のスロッタナイフに関し、シートに切り溝を形成する際に生じる溝加工部分の破れの発生を抑制し、溝加工の品質を向上させることができるようにする。【解決手段】  スロッタナイフ３０の回転方向の先端部３０ｅの端面３０ｂと側面３０ｆとが滑らかな曲面で接続され、先端部３０ｅの外周側エッジ部３０ｃに、突き刺し切断により溝Ｓを加工する突起部３０ａをそなえるように構成する。【選択図】        図１
2006088459.tif 000002
【特許請求の範囲】
【請求項１】
シートに溝を加工するスロッタナイフであって、
該スロッタナイフの回転方向の先端部の端面と側面とが滑らかな曲面で接続され、
該先端部の外周側エッジ部に、突き刺し切断により該溝を加工する突起部をそなえていることを特徴とする、スロッタナイフ。
【請求項２】
該端面は、該回転方向の断面が曲線で形成されていることを特徴とする、請求項１記載のスロッタナイフ。
【請求項３】
該先端部は、該回転方向の断面が円弧状に形成されていることを特徴とする、請求項２記載のスロッタナイフ。
【請求項４】
該端面には、該突起部の先端部と該スロッタナイフの回転中心とを結んだ基準面よりも凹ませた逃げ部が形成されていることを特徴とする、請求項１〜３の何れか１項に記載のスロッタナイフ。
【請求項５】
該突起部は、複数の刃先が並んでなる鋸刃状に形成されていることを特徴とする、請求項１〜４の何れか１項に記載のスロッタナイフ。
【請求項６】
該鋸刃状の該複数の刃先は、一定の高さに形成されていることを特徴とする、請求項５記載のスロッタナイフ。
【請求項７】
該突起部は、全長にわたって一定の高さで刃先が連続した直線刃状に形成されていることを特徴とする、請求項１〜４の何れか１項に記載のスロッタナイフ。
【請求項８】
該シートは段ボールシートであって、段ボールシート製函機に用いられていることを特徴とする、請求項１〜７の何れか１項に記載のスロッタナイフ。
【発明の詳細な説明】
【技術分野】
【０００１】
本発明は、段ボールシート等のシートに溝加工を行なう、スロッタナイフに関するものである。
【背景技術】
【０００２】
以下、図５〜図７により背景技術について説明する。図５は、製函機の概略構成を示す模式的な側面図、図６は溝加工された段ボールシートを示す正面図、図７は従来のスロッタヘッドの詳細を示す模式的な断面図である。
製函機においては、図５に示すように、一般に、段ボールシート１は、給紙部２で一枚ずつ下流工程に供給され、下流工程では、印刷部３で所定の印刷が施され、クリーザスロッタ部４で罫入れや溝切りが行なわれることで、図６に示すような形状に加工される。
【０００３】
次に、クリーザスロッタ部４について詳細に説明する。図５に示すように、クリーザスロッタ部４には、上クリーザ軸５U，下クリーザ軸５L，上スロッタ軸６U及び下スロッタ軸６Lがそなえられている。上クリーザ軸５Uにはリング状の上クリーザヘッド７Uが、下クリーザ軸５Lにはリング状の下クリーザヘッド７Lがそなえられている。上スロッタ軸６Uには上スロッタヘッド８がそなえられ、この上スロッタヘッド８には２枚の上スロッタナイフ１０，１１が取り付けられている。また、下スロッタ軸６Lには下スロッタヘッド９がそなえられ、下スロッタヘッド９には２枚の下スロッタナイフ１２が取り付けられている。
【０００４】
図７に示すように、上スロッタナイフ１０，１１は、ボルト等（図示省略）によって上スロッタヘッド８に円周方向の位置が調整可能に取り付けられている。これにより、深さｄ（図６参照）が異なる段ボール箱を製造することができる。２枚の下スロッタナイフ１２は、下スロッタヘッド９にスペーサ１３を挟んでボルト等（図示省略）によって取り付けられている。
【０００５】
段ボールシート１は、上スロッタヘッド８の外周部８ａと下スロッタヘッド９の外周部９ａとに挟まれて移送される。そして、段ボールシート１が供給されるタイミングに合わせて、上スロッタナイフ１０，１１は段ボールシート１に進入し、２枚の下スロッタナイフ１２の間に嵌入して、図６に示すような、段ボールシート１の溝加工を行なう。
ここで、上スロッタナイフ１０により、段ボールシート１の進行方向（図６の矢印Ａ方向）における上流側の溝ＳUが加工され、上スロッタナイフ１１により、下流側の溝ＳLが加工される。
【０００６】
ところで、上スロッタナイフ１０，１１には、例えば図５に示すように、突起部１０ａ，１１ａをそなえたものが使われる。このような突起部１０ａ，１１ａを装備する理由は、溝ＳU，ＳL（以下、溝ＳU，ＳLを特に区別しない場合には、溝Ｓと記す）の側面Ｓ1を切る時には、上スロッタナイフ１０，１１と下スロッタナイフ１２とのせん断により切ることができるが、溝Ｓの端部Ｓ2を切るときには、上スロッタナイフ１０，１１の刃を受ける下側の受部材が無いため、せん断や押し切りでは切断できないためである。そこで、上スロッタナイフ１０，１１の先端に突起部１０ａ，１１ａを装備して、この突起部１０ａ，１１ａにより段ボールシート１を突き刺して、溝Ｓの端部Ｓ2を切断するようにしている。
【０００７】
また、上スロッタナイフ１０，１１の端面部１０ｂ，１１ｂは、通常、半径方向（すなわち、上スロッタナイフ１０，１１の回転円の中心）に向かう平坦な面として形成されている。このように端面部１０ｂ，１１ｂを形成するのは、加工上最も一般的であり、加工性も良いためである。
しかし、このような端面部１０ｂを有する上スロッタナイフ１０により段ボールシート１の上流側の溝ＳUを加工すると、図８（溝加工不良の状態を示す段ボールシートの溝加工部分の正面図）に示すように、溝ＳUの端部Ｓ2の角に破れＢが発生するといった溝加工不良が生じてしまう。以下、この概要を図９，図１０により説明する。図９は溝加工不良を起こす原因を説明するための図であり、従来のスロッタヘッド要部の模式的な断面図である。図１０は、特許文献１記載の技術を説明するための図であり、スロッタナイフ要部の模式的な断面図である。
【０００８】
図９に示すように、上スロッタ軸６Uの軸心ＯUと、下スロッタ軸６Lの軸心ＯLとが、段ボールシート１の進行方向に対して垂直に配置されているものとする。また、段ボールシート１は水平に送られるものとする。
上スロッタナイフ１０の突起部１０ａは、上スロッタヘッド８の外周部８ａから突出しているので、図９の実線で示すように、上下スロッタ軸の軸心ＯU，ＯLを結ぶ線ＯUＯLと角度αをなして、Ｎ点において段ボールシート１と最初に接触し（このスロッタナイフの位置Ｎ点を以後「切始位置」とする）、このＮ点から溝加工が開始される。ここで、切始位置Ｎ点での段ボールシート１と突起部１０ａとの接触点をＰ点とし、このＰ点は、溝ＳUの端部Ｓ2となる。
【０００９】
次に、図９に二点鎖線で示すように、上スロッタヘッド８がα（ラジアン）だけ回転すると、上スロッタナイフ１０の端面部１０ｂは、ＯUＯL上にあるＱ1点の位置にくる（このスロッタナイフの位置を以後「垂直位置」とする）。ここで、Ｑ1Ｎの距離は、上スロッタヘッド８の外周部８ａの半径をＲ0とすると、
Ｑ1Ｎ＝Ｒ0・ＴＡＮ（α）
である。一方、段ボールシート１の溝ＳUの端部Ｓ2（Ｐ点）は、段ボールシート１は上スロッタヘッド８の外周部８ａにより移送されるため、上スロッタナイフ１０の端面部１０ｂがＱ1点に到達した時、Ｒ0・αだけ進行することになる。Ｒ0・ＴＡＮ（α）＞Ｒ0・αなので、Ｐ点は、Ｑ1点の手前のＰ1点の位置にくることになる。すなわち、段ボールシート１の溝ＳUの端部Ｓ2はＰ1点までしか進行していないのに対し，上スロッタナイフ１０の端面部１０ｂは、Ｐ1点よりも下流側のＱ1点まで進行しようとすることになる。これは、上スロッタナイフ１０の端面部１０ｂが、段ボールシート１の中の溝ＳUの端部Ｓ2をＰ1Ｑ1（下式参照）だけ押し進むことになる。
Ｐ1Ｑ1=Ｒ0・ＴＡＮ（α）−Ｒ0・α
上スロッタナイフ１０がこのように段ボールシート１に対し進むと、当然ながら、図８に示すように溝ＳUの端部Ｓ2の角に破れＢが発生し易い。なお、図８では、便宜上Ｑ1Ｐ1の大きさを拡大して示しており、実際は、Ｑ1Ｐ1はこれ程大きくないが、溝ＳUの端部Ｓ2には角張った角部があるため、応力集中が生じ、破れＢが発生し易いのである。
【００１０】
この問題を解決するために、特許文献１には、図１０に示すように、上スロッタナイフ２０の端面部２０ｂに、突起部２０ａの先端と上スロッタナイフ２０の回転中心とを結んだ面よりも凹ませた、逃げ部２０ｃを形成する技術が開示されている。このような構成により、上スロッタナイフ２０の端面部が段ボールシートの溝の端部に干渉するのが低減され、上スロッタナイフ２０が段ボールシートに対し進行した際に、溝の端部の角に破れが発生しないようにしている。
【特許文献１】特開２００１−２８７２８５号公報
【発明の開示】
【発明が解決しようとする課題】
【００１１】
ところで、特許文献１記載の技術によれば、上スロッタナイフ２０が段ボールシートに接触開始してから垂直位置に来るまでの間、段ボールシートの溝の端部に破れが発生することを抑制することが可能である。しかしながら、段ボールシートに溝加工する際には、上スロッタナイフ２０が段ボールシートから離れるときにも破れが発生するという課題があり、特許文献１記載の技術では、上スロッタナイフ２０が段ボールシートから離れるときに生じる同様の課題に対する解決策がなんら示されていない。
【００１２】
図１０において実線で示すように、上スロッタナイフ２０の突起部２０ａの先端がＯUＯL上、すなわち上スロッタナイフ２０が垂直位置にあり、上スロッタナイフ２０の端面部２０ｂが段ボールシート１の上面とＱ3点で接しているとする。ここで、Ｑ3点とＰ1点が一致するよう逃げ量Ｄを付け、Ｑ3点の位置は図９のＰ1点の位置でもあるとする。スロッタヘッド８が回転して、二点鎖線のように上スロッタナイフ２０の突起部２０ａが段ボールシート１から離れる寸前まで進行したとする（以下、この上スロッタナイフ２０の位置を「離脱位置」とする）。そして、離脱位置での段ボールシート１と上スロッタナイフ２０の突起部２０ａとの接触点をＱ2点とする。離脱位置では、前述のＰ1点はＰ2点まで進んでいる。図９の切り始めのときと全く同じように，突起部２０ａと段ボールシート１との接点Ｑ2点はＰ2点より下流側になる。すなわち、上スロッタナイフ２０の端面部２０ｂが段ボールシート１より早く進んで，溝Ｓの端部Ｓ2を押すようになり，図８に示したのと同様な破れＢが，この上スロッタナイフ２０が段ボールシート１から離れる過程でも発生し易い。
【００１３】
また、従来の上スロッタナイフ１０，２０の突起部の先端エッジは、図１１（ａ）に示すように直線刃（刃先が一定高さで連続する刃）２１に形成されるか、図１１（ｂ）のように段ボールシート１へ食い込みやすくするため鋸刃２２に形成されたものが使われている。しかし、何れであったとしても、基本的にはスロッタナイフの端面部は平面で構成され，側面部とは鋭い直角２３で交わるように構成されるのが一般であった。このため形成される溝ＳUの端部Ｓ2は直角で応力集中しやすく破れやすいといった課題が生じる。
【００１４】
さらに、図１０から分かるように、スロッタナイフ２０が段ボールシート１から離れるときは，段ボールシート１の上側ライナをすくい上げるように抜けていくので、この時突起部２０ａの角がライナを引っかけ易く、溝ＳUの端部Ｓ2の破れの発生が多くなるという不具合がある。
本発明はこのような課題に鑑み案出されたもので、スロッタナイフがシートに切り溝を形成する際に生じる溝加工部分の破れの発生を抑制し、溝加工の品質を向上させることができるようにした、スロッタナイフを提供することを目的とする。
【課題を解決するための手段】
【００１５】
上記目的を達成するために、請求項１記載の本発明のスロッタナイフは、シートに溝を加工するスロッタナイフであって、該スロッタナイフの回転方向の先端部の端面と側面とが滑らかな曲面で接続され、該先端部の外周側エッジ部に、突き刺し切断により該溝を加工する突起部をそなえていることを特徴としている。
請求項２記載の本発明のスロッタナイフは、請求項１記載のスロッタナイフにおいて、
該端面は、該回転方向の断面（スロッタナイフの円周接線の方向の面で切った断面、以下同。）が曲線で形成されていることを特徴としている。
【００１６】
請求項３記載の本発明のスロッタナイフは、請求項２記載のスロッタナイフにおいて、
該先端部は、該回転方向の断面が円弧状に形成されていることを特徴としている。
請求項４記載の本発明のスロッタナイフは、請求項１〜３の何れか１項に記載のスロッタナイフにおいて、該端面には、該突起部の先端部と該スロッタナイフの回転中心とを結んだ基準面よりも凹ませた逃げ部が形成されていることを特徴としている。
【００１７】
請求項５記載の本発明のスロッタナイフは、請求項１〜４の何れか１項に記載のスロッタナイフにおいて、該突起部は、複数の刃先が並んでなる鋸刃状に形成されていることを特徴としている。
請求項６記載の本発明のスロッタナイフは、請求項５記載のスロッタナイフにおいて、
該鋸刃状の該複数の刃先は、一定の高さに形成されていることを特徴としている。
【００１８】
請求項７記載の本発明のスロッタナイフは、請求項１〜４の何れか１項に記載のスロッタナイフにおいて、該突起部は、全長にわたって一定の高さで刃先が連続した直線刃状に形成されていることを特徴としている。
請求項８記載の本発明のスロッタナイフは、請求項１〜７の何れか１項に記載のスロッタナイフにおいて、該シートは段ボールシートであって、段ボールシート製函機に用いられていることを特徴としている。
【発明の効果】
【００１９】
請求項１記載の本発明のスロッタナイフによれば、スロッタナイフがシートに接触する際には、スロッタナイフの回転方向の先端部の端面の外周側エッジ部にそなえられた突起部がシートに突き刺さり、突き刺し切断によりシートに溝加工を開始する。スロッタナイフの先端部の端面と側面とは滑らかな曲面で接続されているので、この先端部の端面の外周側エッジにそなえらえた突起部も該側面と滑らかな曲面で接続されることになり、シートに加工される溝の端部も、溝の側面と滑らかな曲線で接続されることになる。スリッタナイフによりシート切断過程では、スロッタナイフの先端部の移動量の方がシート移動量よりも大きいことから、スロッタナイフの先端部の端面がシートに加工された溝の端部を押すことになるが、シートに加工された溝の端部には角張った切断箇所がなくなるので、溝をスロッタナイフ先端部で押されても、極端な応力集中がなくなって、シートに加工された溝に破れが発生しにくくなる。
【００２０】
また、スロッタナイフがシートから離れるとき、突起部がシートの上ライナをすくい上げた場合も、極端な応力集中がなくなって、シートの溝に破れが発生しにくくなる。
請求項２記載の本発明のスロッタナイフによれば、端面は、回転方向の断面が曲線で形成されているので、溝の角が応力集中を起こして破れることを減少させることができる。
請求項３記載の本発明のスロッタナイフによれば、先端部は、回転方向の断面が円弧状に形成されているので、溝の角が応力集中を起こして破れることをより減少させることができる。
【００２１】
請求項４記載の本発明のスロッタナイフによれば、スロッタナイフとシートとが干渉してシートに加工された溝に破れが発生することを抑制することができる。
請求項５〜７記載の本発明のスロッタナイフによれば、シートに刃先が確実に突き刺さり、切れ味が維持できて、確実に溝加工をすることができる。
請求項８記載の本発明のスロッタナイフによれば、段ボールシート製函機に用いて好適のスロッタナイフを得ることができる。
【発明を実施するための最良の形態】
【００２２】
以下、図面により、本発明の実施形態について説明する。ここで、従来と同じ部材等は、従来の説明と同一の符号で説明する。
図１〜図３は本発明の一実施形態に係る段ボール製函機用スロッタナイフにかかるもので、図１はその先端部を示す斜視図，図２はその突起部を示す、図１の正投影図，図３はそれにより溝加工された段ボールシートを示す正面図である。さらに、既に従来技術として説明した図５〜図１０についても適宜流用して説明する。
【００２３】
本発明のスロッタナイフ３０（図１参照）は、製函機におけるクリーザスロッタ部４（図５参照）に装備された進行方向上流側の上スロッタナイフであり、従来の上スロッタナイフ１０と同様に、ボルト（図示省略）によって円周方向の位置が調整可能に取り付けられ、深さが異なる段ボール箱を製造することができるようになっている。また、このスロッタナイフ３０に対向して設けられた下スロッタヘッドには図７に示すような２枚の下スロッタナイフ１２がスペーサ１３を挟んで取り付けられ、本発明のスロッタナイフ３０は、この２枚の下スロッタナイフ１２の間に嵌入して段ボールシート１の溝加工を行なうようになっている。
【００２４】
そして、本発明のスロッタナイフ３０は、図１に示すように、その突起部近傍の形状に特徴がある。すなわち、従来の上スロッタナイフ１０，２０と同様に、その回転方向（進行方向)前方にスロッタナイフ３０外周面よりも外方へ突出した突起部３０ａが形成されており、段ボールシート１の進行方向上流側の溝ＳUを加工するようになっている。
この突起部自体は、従来と同様に、溝ＳUの端部Ｓ2は剪断や押し切りでは切れないため、この突起部３０ａにより段ボールシートを突き刺して溝ＳUの端部Ｓ2を切断するものである。
【００２５】
そして、本発明のスロッタナイフ３０の大きな特徴として、スロッタナイフ３０の回転方向の先端部３０ｅの端面３０ｂと側面３０ｆとを接続した面が、図２（ｂ）に示すように、回転方向の断面（図１（ａ）のＸ−Ｘ矢視断面）が、円弧状に形成されている。
また、突起部３０ａは、複数の刃先が並んでなる鋸刃状に形成され、この鋸刃は、図２（ａ）に示すように回転方向に鋭角β1、図２（ｃ）に示すように刃幅方向に鋭角β2の角度をもつ鋭いものとする。
【００２６】
さらに、この突起部３０ａは、図２（ａ）に示すように、その鋸刃状の刃先がスロッタナイフの回転方向の長さを所定値Ｔに形成され、また、その刃先の先端（先端エッジ）３０ｃは、全長にわたって一定値Ｈの高さでスロッタナイフ外周面よりも突出するように形成されている。ここで、所定値Ｔ，一定値Ｈは、突起部３０ａが段ボールシート１に確実に突き刺さり、かつ溝加工することができる値とする。
【００２７】
本発明の一実施形態としてのスロッタナイフはこのように構成されているので、以下のような作用・効果がある。
スロッタナイフ３０の回転方向の先端部３０ｅの端面３０ｂと側面３０ｆとが接続した面が円弧状に形成されているので、先端部３０ｅには角張った角部がなくなり、図３に示すように、段ボールシート１に加工される溝ＳUの端部Ｓ2も、溝ＳUの側面Ｓ1と滑らかな曲線で接続され、角張った切断箇所がなくなることになる。スリッタナイフ３０による段ボールシート１の切断過程では、スロッタナイフ３０の先端部３０ｅの移動量の方が段ボールシート１の移動量よりも大きいことから、スロッタナイフ３０の先端部３０ｅの端面３０ｂが段ボールシート１に加工された溝の端部を押すことになるが、角張った切断箇所がない溝ＳUの端部Ｓ2が、同様に角張った角部がないスロッタナイフ３０先端部３０ｅで押されても、極端な応力集中がなくなって、溝ＳUの端部Ｓ2に破れが発生しにくくなる。
【００２８】
また、スロッタナイフ３０が段ボールシート１から離れるとき突起部３０ａが段ボールシート１の上ライナをすくい上げた場合も、極端な応力集中がなくなって、段ボールシート１の溝ＳUに破れが発生しにくくなる。
また、突起部３０ａは複数の刃先が並んでなる鋸刃状に形成され、その鋸刃状の刃先がスロッタナイフ３０の回転方向の長さを所定値Ｔに形成され、また、刃先の先端（先端エッジ）３０ｃが、全長にわたって一定値Ｈの高さでスロッタナイフ３０外周面よりも突出するように形成されているので、段ボールシート１に刃先が容易に突き刺さり、切れ味が維持できて、確実に溝加工をすることができる。
【００２９】
本発明は、上記実施形態に限定されず、本発明の趣旨を逸脱しない範囲で種々変形することが可能である。
例えば、本実施形態では、スロッタナイフ３０の回転方向の先端部３０ｅは凹凸のない円筒状であるが、特許文献１記載の技術の上スロッタナイフ２０と同様に、図４に示すように、スロッタナイフ３０の先端部３０ｅの端面３０ｂの突起部３０ａ近傍に逃げ部３０ｄを設けても良い。この逃げ部３０ｄは、段ボールシート１の走行速度とスロッタナイフ３０の周速度との速度差に起因して、突起部３０ａによって溝ＳUの端部Ｓ2を突き刺し切断した後に、端面３０ｂが溝ＳUの端部Ｓ2に干渉するのを低減するためのものである。この逃げ部３０ｄは、図１０に示すように、端面３０ｂにおいて、突起部３０ａの先端部がＯUＯL上にある時、突起部３０ａの先端部とＯUとを結んだ面よりも、その回転方向後方側へ凹ませた形状に形成されている。
【００３０】
このように構成することにより、スロッタナイフ３０が段ボールシート１に接触し切断開始してから垂直位置ＯUＯLに至る間、スロッタナイフ３０が段ボールシート１に干渉して端面部３０ｂが溝ＳUの端部Ｓ2を押して溝ＳUに破れが発生することを抑制するのに優れた効果がある。
また、本実施形態では、図１，図２に示すように、スロッタナイフ３０の先端部３０ｅの端面３０ｂと側面３０ｆとを接続した曲面を完全な円弧形状としているが、その形状は完全な円弧に限らず、要は、スロッタナイフ３０の端面３０ｂと側面３０ｆとが滑らかな曲面で接続され、角に丸みが設けられていればよい。
【００３１】
また、スロッタナイフ３０の突起部３０ａの刃先は、鋭角βの鋸刃状に形成されているが、この形状に限られるものではない。段ボールシート１に刃先が確実に突き刺さり、段ボールシート１の溝加工をすることができるように形成されていれば、いかなる形状であっても良く、例えば、全長にわたって一定の高さで刃先が連続した直線刃状でも良い。
また、切断するシートは段ボールシートに限るものではなく、一定の剛性を有する他のシート（例えば、板紙，樹脂材，ベニヤ板，発泡スチロール，プラスチックなど）でも良い。
【図面の簡単な説明】
【００３２】
【図１】本発明の一実施形態としてのスロッタナイフの先端部を示す斜視図である。
【図２】本発明の一実施形態としてのスロッタナイフの突起部を示す、図１の正投影図であって、（ａ）はその側面図，（ｂ）はその上面図，（ｃ）はその正面図である。
【図３】本発明の一実施形態としてのスロッタナイフにより溝加工された段ボールシートを示す正面図である。
【図４】本発明の一実施形態の変形例としてのスロッタナイフの先端部を示す図であって、（ａ）はその斜視図，（ｂ）はその側面図である。
【図５】一般的な製函機の概略構成を示す模式的な側面図である。
【図６】溝加工された段ボールシートを示す正面図である。
【図７】従来のスロッタヘッドの詳細を示す模式的な断面図である。
【図８】溝加工不良の状態を示す段ボールシートの溝加工部分の正面図である。
【図９】溝加工不良を起こす原因を説明するための図であり、従来のスロッタヘッド要部の模式的な断面図である。
【図１０】特許文献１記載の技術を説明するための図であり、スロッタナイフ要部の模式的な断面図である。
【図１１】従来のスロッタナイフの先端部を示す図であって、（ａ）はその突起部が直線刃に形成されている図を示し、（ｂ）はその突起部が鋸刃に形成されている図を示す。
【符号の説明】
【００３３】
１  段ボールシート
２  給紙部
３  印刷部
４  クリーザスロッタ部
５U  上クリーザ軸
５L  下クリーザ軸
６U  上スロッタ軸
６L  下スロッタ軸
７U  上クリーザヘッド
７L  下クリーザヘッド
８  上スロッタヘッド
８ａ  上スロッタヘッドの外周部
９  下スロッタヘッド
９ａ  下スロッタヘッドの外周部
１０，１１  上スロッタナイフ
１０ａ，１１ａ  上スロッタナイフの突起部
１０ｂ，１１ｂ  上スロッタナイフの端面部
１２  下スロッタナイフ
１３  スペーサ
２０  上スロッタナイフ
２０ａ  突起部
２０ｂ  端面部
２０ｃ  逃げ部
２１  突起部先端（直線刃）
２２  突起部先端（鋸刃）
２３  端面部と側面の交線
３０  スロッタナイフ
３０ａ  突起部
３０ｂ  端面
３０ｃ  先端エッジ
３０ｄ  逃げ部
３０ｅ  先端部
３０ｆ  側面
Ａ  段ボールシートの進行方向
Ｂ  破れ
ｄ  段ボール箱の深さ
Ｄ  逃げ量
Ｈ  突起部の高さ
Ｎ  切始位置
Ｐ  切始位置での上スロッタナイフ突起部とシートとの最初の接触点（溝Ｓの端部Ｓ2に当たる部分）
Ｐ1  垂直位置でのＰの位置
Ｐ2  離脱位置でのＰの位置
Ｑ1，Ｑ3  垂直位置での上スロッタナイフ端面部とシートとの接触位置
Ｑ2  離脱位置での上スロッタナイフ突起部とシートとの接触点
Ｒ0  上スロッタヘッド外周部の半径
Ｒ1  上スロッタナイフ突起部の半径
ＳU  溝（段ボールシート進行方向上流側）
ＳL  溝（段ボールシート進行方向下流側）
Ｓ1  溝Ｓの側面
Ｓ2  溝Ｓの端部
Ｔ  突起部の円周方向長さ
α  切始位置でのスロッタナイフ端面部と中心線ＯUＯLのなす角
β  突起部の刃先角
【図１】
2006088459.tif 000003
【図２】
2006088459.tif 000004
【図３】
2006088459.tif 000005
【図４】
2006088459.tif 000006
【図５】
2006088459.tif 000007
【図６】
2006088459.tif 000008
【図７】
2006088459.tif 000009
【図８】
2006088459.tif 000010
【図９】
2006088459.tif 000011
【図１０】
2006088459.tif 000012
【図１１】
2006088459.tif 000013